(57)【特許請求の範囲】
【請求項１】
４つの側面板と、前記４つの側面板により構成される筒体の各端面に設けられる２つの端面板と、を備えて構成される略直方体状の包装箱であって、
ブランクを組み立てることにより構成され、
前記ブランクは、互いに平行に設けられた山折線を介して連接された前記４つの側面板と、前記４つの側面板の連接方向の一端において、前記山折線に平行に形成された破断線を介して延設された表示片と、前記連接方向の他端において、前記山折線に平行な山折線を介して延設された接続片とを有し、
前記筒体は、前記各山折線を折り曲げて前記接続片を前記表示片が延設する前記側面板の裏面に接着するとともに、前記表示片を前記破断線を折り曲げて前記接続片が延設する前記側面板の表面に接着することにより構成され、
前記接続片は、当該接続片が延設する前記側面板との間の前記山折線から所定距離離間した位置に前記山折線に平行に延出する谷折線と、前記接続片と前記側面板とを接着する接着剤が塗布される、前記谷折線と前記接続片の端縁との間の領域である第１領域と、前記接着剤が塗布されない、前記谷折線と前記接続片が延設する前記側面板との間の前記山折線との間の領域である第２領域と、を有する
ことを特徴とする包装箱。
【請求項２】
請求項１に記載の包装箱であって、前記接着剤は、前記第１領域のうち、少なくとも前記谷折線の近傍に塗布されることを特徴とする包装箱。
【請求項３】
請求項１又は２に記載の包装箱であって、前記表示片の、前記破断線が形成されている辺と対向する辺の角部の近傍に、前記表示片を前記破断線に沿って切り離す際の持ち手となるつまみが形成されていることを特徴とする包装箱。
【請求項４】
請求項３に記載の包装箱であって、前記側面板と前記表示片との間の前記破断線はマイクロミシンであることを特徴とする包装箱。
【発明の詳細な説明】
【技術分野】
【０００１】
この発明は、包装箱に関し、とくに包装箱の内容物に関する情報を管理する技術に関する。
【背景技術】
【０００２】
医療機関や薬局等においては、医師から出された処方箋に従って誤りなく調剤を行うために、薬品棚にストックされている多数の医薬品について、医薬品の名称、種別、有効期限（使用期限）、製造番号、ロット番号等の情報を付帯させて管理している。ここで医療機関や薬局等において行われる作業、即ち、薬品棚にストックされている多数の医薬品の中から処方箋に従って医薬品を取り揃える作業（ピッキング）は、必ずしも医薬品の包装箱を単位として行われるわけではなく、ＰＴＰシート（錠剤シート）単位、錠剤単位、薬包単位等で行われる。そのため、包装箱に入っていた医薬品を使い切ってしまうまでは、残存する医薬品に上記情報を付帯させて管理する必要がある。そこで医療機関や薬局等においては、包装箱の表面に記載されている情報の切り抜きや医薬品とともに包装箱に同梱されている添付文書等を、例えば、残存する医薬品（ＰＴＰシート、薬包等）に輪ゴムで括り付けておく、医薬品の種類等ごとに用意した薬品籠に残存する医薬品とともに入れて管理しておく、といった方法で対応している。
【０００３】
ここで上記情報が記載されている部分を一箱ずつ包装箱から切り抜く作業は煩雑であり、医療機関や薬局等のスタッフ等は負担を強いられている。また包装箱に同梱されている添付文書は小さく折り畳まれていて情報量が多く様式も様々で必要な情報を得ようとする際に労力を要し時間も浪費する。そこでこうした課題に鑑み、本発明者は、包装容器の複数の面のうち開封面と異なる面の少なくとも一面を外側片及び内側片から成る二重構造とし、外側片に内容物情報を印刷し、外側片の一部または全部が切除されるように、内容物情報の周囲に切除部を構成し、切除された紙片を情報カードとして利用できるようにする技術を考案済みである（特許文献１）。
【先行技術文献】
【特許文献】
【０００４】
【特許文献１】実用新案登録第３１７２０９９号公報
【発明の概要】
【発明が解決しようとする課題】
【０００５】
ところで、上記特許文献１のように、包装箱（包装容器）の内容物情報の周囲に切除部を構成し、切除部を切除して内容物情報が記載された情報カードを取得できるようにした場合には、医療機関や薬局のスタッフ等のユーザが包装箱から情報カードを取得しようとしたときには包装箱から情報カードを容易かつ確実に切り離すことができるようにし、一方、それ以外のとき（包装箱の組み立て時、内容物の箱詰め時、包装箱の運搬時等）には切除部が容易に破断してしまわないようにする必要がある。
【０００６】
本発明は上記課題に鑑みてなされたもので、情報カードを切り離して利用できるように構成された包装箱において、ユーザが情報カードを取得しようとするときには包装箱から容易かつ確実に情報カードを切り離すことができ、それ以外のときには切除部が容易に破断してしまわないようにすることを目的としている。
【課題を解決するための手段】
【０００７】
上記目的を達成するための本発明の一つは、４つの側面板と、前記４つの側面板により構成される筒体の各端面に設けられる２つの端面板と、を備えて構成される略直方体状の包装箱であって、ブランクを組み立てることにより構成され、前記ブランクは、互いに平行に設けられた山折線を介して連接された前記４つの側面板と、前記４つの側面板の連接方向の一端において、前記山折線に平行に形成された破断線を介して延設された表示片と、前記連接方向の他端において、前記山折線に平行な山折線を介して延設された接続片とを有し、前記筒体は、前記各山折線を折り曲げて前記接続片を前記表示片が延設する前記側面板の裏面に接着するとともに、前記表示片を前記破断線を折り曲げて前記接続片が延設する前記側面板の表面に接着することにより構成され、前記接続片は、当該接続片が延設する前記側面板との間の前記山折線から所定距離離間した位置に前記山折線に平行に延出する谷折線と、前記接続片と前記側面板とを接着する接着剤が塗布される、前記谷折線と前記接続片の端縁との間の領域である第１領域と、前記接着剤が塗布されない、前記谷折線と前記接続片が延設する前記側面板との間の前記山折線との間の領域である第２領域と、を有する。
【０００８】
本発明の他の一つは、上記包装箱であって、前記接着剤は、前記第１領域のうち、少なくとも前記谷折線の近傍に塗布されることとする。
【０００９】
本発明の他の一つは、上記包装箱であって、前記表示片の、前記破断線が形成されている辺と対向する辺の角部の近傍に、前記表示片を前記破断線に沿って切り離す際の持ち手となるつまみが形成されていることとする。
【００１０】
本発明の他の一つは、上記包装箱であって、前記側面板と前記表示片との間の前記破断線はマイクロミシンであることとする。
【００１１】
その他、本願が開示する課題、及びその解決方法は、発明を実施するための形態の欄、及び図面により明らかにされる。
【発明の効果】
【００１２】
本発明によれば、情報カードが切り離せるように構成された包装箱において、情報カードが切り離せるように構成された包装箱において、ユーザが情報カードを取得しようとするときは包装箱から容易かつ確実に情報カードを切り離すことができ、それ以外のときは切除部が容易に破断してしまわないようにすることができる。
【図面の簡単な説明】
【００１３】
【図１】一実施形態として説明する包装箱１０の開封前の状態（封函状態）を示す斜視図である。
【図２】包装箱１０の開封後の状態を示す斜視図である。
【図３】包装箱１０の形成片（ブランク５）を示す図である。
【図４】包装箱１０から表示板５１を切り離す様子を説明する図である。
【図５】包装箱１０の組み立てから封函までの手順を説明するフローチャートである。
【図６】立ち上げて筒体を形成する前のブランク５の状態を示す斜視図である。
【図７】ブランク５を立ち上げて筒体が形成された状態を示す斜視図である。
【図８】接続片１７の全面に接着材を塗布して正面板１４の裏面に接着した場合にブランク５の立ち上げ時に破断線４０に応力が作用する様子を説明する模式図である。
【図９】本実施形態の包装箱１０の場合にブランク５の立ち上げ時に破断線４０に作用する応力が緩和される様子を説明する模式図である。
【発明を実施するための形態】
【００１４】
以下、本発明の実施の形態につき図面とともに説明する。
【００１５】
図１に本発明の一実施形態として説明する包装箱１０の開封前の状態（封函状態）を示す斜視図を、図２に包装箱１０の開封後の状態を示す斜視図を示している。また図３に包装箱１０の形成片（以下、「ブランク５」とも称する。）を示している。図３はブランク５を包装箱１０の表面側から眺めた図であり、図１又は図２に示す包装箱１０は図３に示すブランク５を組み立てることにより構成される。ブランク５は、例えば、厚紙や板紙等のブランクシートを打ち抜くことにより形成される。尚、図３において、原則として、破線は山折線を、一点鎖線は谷折線を、点線は破断線（ミシン刃、リード罫等）を示す。
【００１６】
図３に示すように、ブランク５は、夫々の長尺辺が互いに平行になるように連接配置された４つの側面板（第１側面板１１、背面板１２、第２側面板１３、及び正面板１４）、上記４つの側面板の連接方向の一端に延設された、表示板５１（情報カード）を含む表示片５０、上記４つの側面板の連接方向の他端に延設された接続片１７（グルーフラップ）、背面板１２の上記連接方向に対して直角方向の短尺辺に延設された第１端面板１５（天面板）、及び正面板１４の上記連接方向に対して直角方向の短尺辺に延設された第２端面板１６（底面板）を有する。接続片１７、第１側面板１１、背面板１２、第２側面板１３、正面板１４、及び表示片５０は、夫々の長尺辺を境界としてこの順に連接され、これらは包装箱１０の内容物が収納される角筒状の筒体を形成する。
【００１７】
背面板１２と正面板１４はほぼ同形状（略長方形状）であり、これらは前述した筒体の一対の側面を構成する。また第１側面板１１と第２側面板１３はほぼ同形状（略長方形状）であり、前述した筒体の一対の側面を構成する。第１端面板１５及び第２端面板１６は、夫々、４つの側面板で構成される包装箱１０の前述した筒体の対向する２つの端面を塞ぐように設けられる。表示片５０は、第１側面板１１（又は第２側面板１３）とほぼ同形（略長方形状）同大である。尚、図３に示す例では、背面板１２（又は正面板１４）の面積が第１側面板１１（又は第２側面板１３）の面積よりも広くなっているが、背面板１２（又は正面板１４）や第１側面板１１（又は第２側面板１３）の面積は必ずしも同図に示す態様に限られない。
【００１８】
前述した筒体が形成された状態において、表示片５０は、後述する破断線４０を折り曲げることにより接続片１７が延設する第１側面板１１に重ねられて第１側面板１１の表面に接着される。これにより表示片５０は第１側面板１１と共に包装箱１０の一側面に二重構造を形成し、包装箱１０の堅牢性の増大する役割も果たす。
【００１９】
包装箱１０が、例えば、医薬品の収納容器として用いられる場合には、背面板１２の表面には、例えば、医薬品の名称等の情報が、第１側面板１１並びに第２側面板１３の表面には、例えば、医薬品の名称、種別、特性、成分、効能、用法、用量、有効期限（使用期限）、コード（ＲＳＳコード、ＲＳＳコンポジットコード、ＪＡＮコード等）等の情報が、正面板１４の表面には、例えば、医薬品の名称、内容物に関する情報（錠数、薬包数、製造元、連絡先等）が、第１端面板１５並びに第２端面板１６の表面には、例えば、医薬品の名称等の情報が、夫々、印字もしくは印刷される。またドラッグストア等の店頭に陳列される場合を想定し、第１端面板１５並びに第２端面板１６の表面には、例えば、医薬品の名称等の宣伝広告に関わる情報が表示される。
【００２０】
図３に示すように、第１側面板１１と接続片１７との境界には山折線３７が、第１側面板１１と背面板１２との境界には山折線３１が、背面板１２と第２側面板１３との境界には山折線３２が、第２側面板１３と正面板１４との境界には山折線３３が、夫々形成されている。
【００２１】
前述した筒体が形成された状態において、接続片１７は正面板１４の裏面に接着剤（ホットメルト等）を用いて接着される。同図に示すように、接続片１７には、山折線３７から所定距離離間した位置に、山折線３７と平行に谷折線３０（段差線）が形成されている。そして接続片１７の、表示片５０が延設する正面板１４の裏面に接する側の面には、この谷折線３０を境として、上記接着剤が塗布される第１領域１７ａと、上記接着剤が塗布されない第２領域１７ｂとが形成されている。
【００２２】
図３に示すように、第１側面板１１の、包装箱１０を組み立てた状態で第１端面板１５が存在する側には、山折線６１を介してサイドフラップ１１１が、また第１側面板１１の、包装箱１０を組み立てた状態で第２端面板１６が存在する側には、山折線６２を介してサイドフラップ１１２が、夫々延設されている。また第２側面板１３の、包装箱１０を組み立てた状態で第１端面板１５が存在する側には、山折線６３を介してサイドフラップ１３１が、また第２側面板１３の、包装箱１０を組み立てた状態で第２端面板１６が存在する側には、山折線６４を介してサイドフラップ１３２が、夫々延設されている。
【００２３】
第１端面板１５の、背面板１２が連接する側と対向する側には、山折線３６を介してフラップ１５１が延設されている。また背面板１２と第１端面板１５との境界には山折線３４が、背面板１２とフラップ１２１との境界には山折線３５が、第１端面板１５とフラップ１５１との境界には山折線３６が、夫々形成されている。
【００２４】
正面板１４には、第２端面板１６が延設されている。第２端面板１６との境界には破断線３８（ミシン刃、リード罫等）（但し中央部は山折線）が形成されている。正面板１４の、第２端面板１６が延設する側の縁部の中央付近には、略矩形状の押込部１４２が形成されている。押込部１４２の周縁には、破断線３８に連続する破断線３９が形成されている。破断線３８の全体は、包装箱１０の組立時や使用時には山折線として機能し、包装箱１０の解体時には破断されて包装箱１０の解体を容易にする役割を果たす。また破断線３８（但し中央部を除く）及び破断線３９は、押込部１４２が押し込まれることにより破断して包装箱１０の解体を容易にする役割を果たす。
【００２５】
フラップ１５１の中央部付近には、略矩形状の指掛孔１５２が形成されている。またフラップ１５１の中央部付近には、破断線３６に略平行に破断線１５３（ミシン刃、リード罫等）が形成されている。以下、フラップ１５１の、破断線１５３に対してフラップ１５１の先端側の部分をフラップ端部１５１ａと、フラップ１５１の、破断線１５３に対して第１端面板１５の側の部分を差込部１５１ｂと夫々称する。
【００２６】
ここでフラップ１５１は、そのフラップ端部１５１ａの裏面については正面板１４の表面に接着されるが、その差込部１５１ｂの裏面については正面板１４に接着されない。このため、ユーザが指掛孔１５２に指を差し込んで差込部１５１ｂを持ち上げるように操作すると、正面板１４に接着されていない差込部１５１ｂのみがせり上がってフラップ１５１は破断線３６で破断し、その結果、フラップ端部１５１ａが差込部１５１ｂから切り離される。このようにユーザは、上記の操作を行うことで、第１端面板１５の側から包装箱１０を開封することができる。図２に示すように、差込部１５１ｂから切り離されたフラップ端部１５１ａは正面板１４の表面に残留する。差込部１５１ｂは、第１端面板１５のタックとして機能する。破断線１５３は、包装箱１０が開封済か否かを表示する未開封／開封証明としても機能する。
【００２７】
正面板１４の、包装箱１０を組み立てた状態で第１端面板１５に接する側の端縁の中央部付近には、第１端面板１５の開閉操作を容易にするための略半円形の切り欠き１４３が形成されている。また接続片１７の第１領域１７ａの、包装箱１０を組み立てた状態で正面板１４の切り欠き１４３と重なる位置には、切り欠き１４３の一部の形状に沿って略四分円状の切り欠き１７１が形成されている。
【００２８】
図３に示すように、正面板１４と表示片５０との境界には、表示板５１の包装箱１０からの切り離しを容易にするための破断線４０（ミシン刃（ミシン，マイクロミシン等）、リード罫等）が形成されている。表示片５０には、破断線４０に沿って、第１表示板５１ａ、第２表示板５１ｂ、及び残留片５２がこの順に連接されている。第１表示板５１ａと第２表示板５１ｂの境界には破断線４１ａ（ミシン刃（ミシン，マイクロミシン等）、リード罫等）が、第２表示板５１ｂと残留片５２の境界には破断線４１ｂ（ミシン刃（ミシン，マイクロミシン等）、リード罫等）が、夫々形成されている。
【００２９】
第１表示板５１ａ又は第２表示板５１ｂは、破断線４０，４１ａ，４１ｂによって個別に包装箱１０から切り離すことができる。尚、表示板５１は、その全体が一つの表示板となるように構成してもよい。また表示板５１に独立して切り離しが可能な３つ以上の表示板を設けてもよい。残留片５２については必ずしもこれを表示片５０に設ける必要はない。包装箱１０が、例えば、医薬品の収納容器として用いられる場合、表示板５１の表面には、例えば、医薬品の名称、種別、有効期限（使用期限）、製造番号、ロット番号、コード等の情報が記載される。
【００３０】
表示片５０の、破断線４０が形成されている辺と対向する辺の、包装箱１０を組み立てた状態で第１端面板１５側の近傍の角隅部には、表示板５１を破断線４０に沿って切り離す際の持ち手となる略三角形状のつまみ５１１が、谷折線５１２を境界として設けられている。
【００３１】
図４に示すように、包装箱１０から表示板５１を切り離す際は、ユーザは谷折線５１２で折り曲げてつまみ５１１を立ち上げ、つまみ５１１をつまんで表示板５１を第２端面板１６の方向に捲り上げるようにする。このとき、つまみ５１１がこのような位置に設けられていることで、ユーザは、破断線４０に応力を集中させつつ表示板５１を捲り上げる操作を行うよう、自然に誘導される。そのため、ユーザは、破断線４０に沿って、とくに意識せずとも容易かつ綺麗に表示板５１を切り離すことができる。
【００３２】
尚、例えばつまみ５１１に相当する構成を破断線４０の近傍に設けた場合には、ユーザがこれをつまんで表示板５１を切り離す操作を行った際に破断線４０の部分にうまく応力が集中せず、表示板５１の裏面側の層が破断線４０（のつなぎ部分）に引きずられて表示板５１に層間剥離を生させることがある。しかし本実施形態の包装箱１０の場合には、表示板５１に上記の態様でつまみ５１１を設けているため、ユーザは表示板５１を容易かつ綺麗に包装箱１０から切り離すことができる。とくにユーザが意図しないときに破断線４０が破断してしまうのを防ぐために破断線４０を破断強度の高いマイクロミシン等とした場合でも、ユーザは表示板５１を容易かつ綺麗に切り離すことができる。
【００３３】
図１に示すように、包装箱１０は、表示片５０から切り離した表示板５１を第１端面板１５の側に保持するための装着部７０を備える。装着部７０は、表示板５１に記載されている情報が外部から視認可能な状態となるように表示板５１を保持する。装着部７０は、第１端面板１５の表面を覆うように設けられた透明シート７１を含む。透明シート７１は、例えば、樹脂製のフィルムである。装着部７０は、透明シート７１と第１端面板１５との間に表示板５１を挟持することにより表示板５１を保持する。透明シート７１は、第１端面板１５よりも、フラップ１５１の方向及び背面板１２の方向にやや長尺であり、このうちフラップ１５１の側に延出する端部領域についてはフラップ１５１の表面に、背面板１２の側に延出する端部領域については背面板１２の表面に、夫々接着剤（ホットメルト等）により接着されている。透明シート７１の、第１端面板１５と背面板１２との境界に設けられている破断線３４に平行な方向の両端には、第１端面板１５との間に表示板５１を挟み込む際の表示板５１の挿入口となるスリット７５（隙間）が形成されている。
【００３４】
第１端面板１５の、破断線３４に平行な方向の両端には、装着部７０に装着されている表示板５１を容易に取り外すことができるように、略半円状の切り欠き１５５が形成されている。尚、同様の目的で、例えば、透明シート７１の破断線３４に平行な方向の両端についても切り欠きを設けるようにしてもよい。
【００３５】
例えば、医療機関や薬局等において調剤行為を行っている薬剤師等のスタッフは、医薬品メーカや卸売り業者等から搬入された包装箱１０（製品）を、内容物（医薬品）の種類ごとに分類して薬品棚に収納する。このとき、スタッフは、包装箱１０から表示板５１を切り離し、切り離した表示板５１（第１表示板５１ａ又は第２表示板５１ｂ）をスリット７５から第１端面板１５と透明シート７１との間に挿入することにより、装着部７０に表示板５１を装着する。これによりスタッフは、包装箱１０の内容物に関する情報を、薬品棚に収納された際に参照しやすい状態で包装箱１０に付帯させ、業務を効率よく遂行することができる。
【００３６】
＜組み立てと封函＞
続いて、包装箱１０の組み立てから封函までの手順について、図５に示すフローチャートとともに説明する。
【００３７】
包装箱１０の組み立てに際しては、まずブランク５の４つの側面板（第１側面板１１、背面板１２、第２側面板１３、及び正面板１４）と接続片１７を、山折線３１、山折線３２、山折線３３、及び山折線３７に沿って山折りに折り曲げる（Ｓ５１１）。次いで接続片１７の第１領域１７ａに接着剤を塗布し、接続片１７を正面板１４の裏面に接着する（Ｓ５１２）。このとき、破断線４０と山折線３７とが丁度重なるようにする。
【００３８】
続いて、第１側面板１１の表面（もしくは表示片５０の裏面）に接着剤を塗布し、第１側面板１１の表面と表示片５０の裏面を接着する（Ｓ５１３）。尚、このときに用いる接着剤としては、ユーザが表示板５１を取得しようとするときには容易に剥がすことが可能な程度の接着強度を有し、それ以外のとき（包装箱の組み立て時、内容物の箱詰め時、包装箱の運搬時等）には表示片５０が容易に離脱ない程度の接着強度を有するもの（例えば、変成シリコン樹脂を用いた剥離可能なタイプの接着剤等）を用いる。
【００３９】
図６にこの段階におけるブランク５の状態を示す。同図はブランク５を上方から眺めた斜視図である。同図に示すように、この段階ではブランク５は扁平な状態である。尚、必要な場合はこの状態で印字装置等を用いて表示板５１の表面に情報（製造年月日等）の印字を行ってもよい。
【００４０】
続いて、図６に示す状態のブランク５を立体的に立ち上げることにより、前述した筒体を形成する（Ｓ５１４）。図７にブランク５を立ち上げて筒体が形成された状態を示す。同図は立ち上げたブランク５を斜め上方(図１における＋ｚ方向）から眺めた斜視図である。
【００４１】
続いて、筒体に包装箱１０の内容物の箱詰めを行う（Ｓ５１５）。そして箱詰め後、第１端面板１５及び第２端面板１６により、筒体の開口する２つの端面を夫々閉じるとともに、フラップ端部１５１ａを正面板１４に接着して包装箱１０を封函する（Ｓ５１６）。
【００４２】
尚、例えば、包装箱１０の製造業者は、輸送（運送）効率のよい図６の状態（Ｓ５１３の手順を実施した後の状態）で包装箱１０を包装箱１０の内容物の製造業者に引き渡し、Ｓ５１４〜Ｓ５１６の手順は、例えば、包装箱１０の内容物の製造業者の側で行われる。
【００４３】
＜破断線に作用する応力＞
ところで、前述したように、表示片５０は、第１側面板１１と共に二重構造を形成するが、この場合、前述したブランク５の組み立て手順（図５のＳ５１２）において、単純に接続片１７の全面に接着材を塗布して正面板１４の裏面に接着してしまうと、前述したブランク５の立ち上げに際して（図５のＳ５１４）表示片５０と正面板１４との間の破断線４０にこれを破断させるような応力が作用し、破断線４０の全部又は一部が破断してしまうことがある。
【００４４】
図８はこの様子、即ち単純に接続片１７の全面に接着材を塗布して正面板１４の裏面に接着した場合に破断線４０に上記応力が作用する様子を説明する模式図である。図８（ａ）及び図８（ｂ）はいずれも第１端面板１５により閉じられる端面の方向から包装箱１０（ブランク５）を眺めた図であり、図８（ａ）はブランク５を立ち上げる前の状態（図５のＳ５１４の直前の状態）、図８（ｂ）はブランク５を立ち上げた後の状態である。
【００４５】
図８（ａ）に示すように、前述したブランク５を立ち上げる前の状態において、表示片５０は第１側面板１１に、正面板１４は接続片１７に、夫々接着されている。そのため、図８（ｂ）に矢線で示すように、ブランク５を立ち上げた際、破断線４０にはこれを破断させる方向に応力が作用する。尚、この応力は、例えば、破断線４０を境として、その両側に接着済みの部分（正面板１４と接続片１７の接着部、及び、表示片５０と第１側面板１１の接着部）が存在すること、前述した二重構造の内側部分（接続片１７と第１側面板１１）と外側部分（正面板１４と表示片５０）との間に誤差等に起因する寸法差が存在すること等に起因して生じる。
【００４６】
これに対し、本実施形態の包装箱１０の場合には、前述のとおり接続片１７に谷折線３０を形成し、第１領域１７ａにのみ接着剤を塗布し、第２領域１７ｂには接着剤を塗布しないようにしているので、破断線４０を破断させる方向に作用する応力を緩和することができる。
【００４７】
図９は、本実施形態の包装箱１０の場合にブランク５の立ち上げ時に破断線４０に作用する応力が緩和される様子を説明する模式図である。図９（ａ）及び（ｂ）はいずれも第１端面板１５により閉じられる端面の方向から包装箱１０（ブランク５）を眺めた図であり、図９（ａ）はブランク５を立ち上げる前の状態、図９（ｂ）は筒体を立ち上げた後の状態である。
【００４８】
図９（ａ）及び（ｂ）に示すように、本実施形態の包装箱１０の場合には、ブランク５を立ち上げる際、接続片１７の接着剤が塗布されていない第２領域１７ｂが谷折線３０において屈曲する（撓む）ことにより破断線４０に作用する応力が第２領域１７ｂの部分に吸収される。このため、ブランク５の立ち上げ時に破断線４０が破断してしまうのを確実に防ぐことができる。
【００４９】
尚、接着剤は、第１領域１７ａの少なくとも谷折線３０の近傍に塗布することが好ましい。そのようにすることで、破断線４０にかかる応力を第２領域１７ｂに効率よく吸収させることができる。また接続片１７に応力が印加された際における、接続片１７の包装箱１０の内側への突出を防ぐことができる。
【００５０】
以上に説明したように、本実施形態の包装箱１０にあっては、接続片１７に谷折線３０を形成し、第１領域１７ａにのみ接着剤を塗布し、第２領域１７ｂには接着剤を塗布しないようにしたので、接着剤が塗布されない第２領域１７ｂにより、ブランク５の立ち上げ時に表示片５０と正面板１４との間の破断線４０にかかる応力が緩和され、ブランク５の立ち上げ時に破断線４０の全部又は一部が破断してしまうのを確実に防ぐことができる。このため、ユーザが表示板５１（情報カード）を取得しようとするときには包装箱１０から容易かつ確実に表示板５１を切り離すことができ、それ以外のとき（包装箱の組み立て時、内容物の箱詰め時、包装箱の運搬時等）には破断線４０が容易に破断しないようにすることができる。
【００５１】
尚、以上の説明は、本発明の理解を容易にするためのものであり、本発明を限定するものではない。本発明は、その趣旨を逸脱することなく、変更、改良され得ると共に、本発明にはその等価物が含まれる。
【符号の説明】
【００５２】
５  ブランク、１０  包装箱、１１  第１側面板、１２  背面板、１２１  フラップ、１３  第２側面板、１４  正面板、１６  第２端面板、１４２  押込部、１４３  切り欠き、１５  第１端面板、１５１  フラップ、１５１ａ  フラップ端部、１５１ｂ  差込部、１５２  指掛孔、１５３  破断線、１５５  切り欠き、１７  接続片、１７ａ  第１領域、１７ｂ  第２領域、３０  谷折線、３１〜３３，３５〜３７  山折線、３４，３６，３８〜４０  破断線、４１ａ，４１ｂ  破断線、５０  表示片、５１  表示板、５１ａ  第１表示板、５１ｂ  第２表示板、５１１  つまみ、５１２  谷折線
【図１】
0006523744.tif 000002
【図２】
0006523744.tif 000003
【図３】
0006523744.tif 000004
【図４】
0006523744.tif 000005
【図５】
0006523744.tif 000006
【図６】
0006523744.tif 000007
【図７】
0006523744.tif 000008
【図８】
0006523744.tif 000009
【図９】
0006523744.tif 000010